(57)【要約】【課題】半透過反射シートのキズやゴミの付着を防止した半透過反射シート挿入治具を提供する。【解決手段】反射型液晶用フロントライトをガイドするためのガイド溝を有する第一の治具と、前記反射型液晶用フロントライトに半透過反射シートを挿入するためのガイド部と、前記第一の治具の前記反射型液晶用フロントライトのガイド溝下部方向に伸びるテーパー部を有する第二の治具で構成される半透過反射シート挿入治具において、第二の治具の前記ガイド部を回転ベルトで構成した半透過反射シート挿入治具とする。【選択図】      図５
2004151577.tif 000002
【特許請求の範囲】
【請求項１】
反射型液晶用フロントライトをガイドするためのガイド溝を有する第一の治具と、前記反射型液晶用フロントライトに半透過反射シートを挿入するためのガイド部と、前記第一の治具の前記反射型液晶用フロントライトのガイド溝下部方向に伸びるテーパー部を有する第二の治具で構成される半透過反射シート挿入治具において、第二の治具の前記ガイド部を回転ベルトで構成したことを特徴とする半透過反射シート挿入治具。
【請求項２】
前記回転ベルトは粘着性を有することを特徴とする請求項１記載の半透過反射シート挿入治具。
【発明の詳細な説明】
【０００１】
【発明の属する技術分野】
本発明は半透過反射シート挿入治具に関するものである。
【０００２】
【従来の技術】
反射型液晶表示装置において、回路基板の上面に発光素子及び反射型液晶パネルの表面を上にして載置し、表示面に平行な照明光を照射するための半透過反射シートを備える反射型液晶用フロントライトが用いられている。
【０００３】
図１は反射型液晶用フロントライトを有する反射型液晶表示装置の要部構成図であり、図２は反射型液晶用フロントライトを有する反射型液晶表示装置の断面図である。回路基板１に反射型液晶パネル２を載置、固定し、ワイヤーパターン３により回路基板１と導通している。発光素子４は反射型液晶用フロントライト５と対応した位置関係で実装してある。反射型液晶用フロントライト５は内部に発光素子４の照明光を照射するための導光部材５ｂ、拡散部材５ｃ、偏光板５ｄで構成される導光部と前記照明光を反射して反射型液晶パネル２に照射する半透過反射シート５ａを備えている。
【０００４】
半透過反射シート５ａは反射型液晶用フロントライト５のスリット部５ｅより挿入され、さらにスリット部５ｆに挿入されて固定されている。半透過反射シート５ａは照明光を反射型液晶パネル２に入射するように曲率をもたせたり、または斜めに配置されるので図２のように三角状の凸形状となる。
【０００５】
前記の反射型液晶用フロントライトを有する反射型液晶表示装置は小型・軽量であり小型ビデオカメラの電子ビューファインダーやヘッドマウントディスプレイ等の映像機器の画像表示装置として使用される。
【０００６】
図３は従来技術による半透過反射シート挿入治具を示す斜視図である。６は第一の治具で、反射型液晶用フロントライト５をガイドするためのガイド溝６ａを有している。７は第二の治具で、反射型液晶用フロントライト５に半透過反射シート５ａを挿入するためのガイド部７ａを有している。また、前記第二の治具７にはガイド部７ａの下側から前記第一の治具６のガイド溝６ａ側に伸びるテーパー部７ｂが取り付け若しくは一体形成されている。７ｃはスライドシャフトで、第二の治具７に２本取り付けられている。２本のスライドシャフト７ｃは、第一の治具６の穴６ｂと穴６ｃにそれぞれ挿入されている。さらに、第一の治具６には穴６ｄが設けられており、第二の治具７のテーパー部７ｂが挿入可能に構成されている。上記構成により、第二の治具７は、スライドシャフト７ｃを介して図３中の矢印の方向にスライド可能に構成されている。
【０００７】
図４は従来技術の半透過反射シート挿入治具の側面断面図で、（ａ）はスライド前の状態を示す図、（ｂ）はスライド後の状態を示す図である。図４を参照して前記半透過反射シート挿入治具を用いた半透過反射シートの挿入方法を説明する。５は反射型液晶用フロントライトで、半透過反射シートを挿入するためのスリット部５ｅを上方に向けて第一の治具６のガイド溝６ａにセットされる。前記反射型液晶用フロントライト５がセットされた時、第二の治具７は図４の（ａ）に示す位置にあり、反射型液晶用フロントライト５の下端部は、テーパー部７ｂのＡ部に当接した状態である。
【０００８】
反射型液晶用フロントライトを第一の治具６のガイド溝６ａにセットした後、第二の治具７を矢印方向にスライドさせる。この時、反射型液晶用フロントライト５は、テーパー部７ｂのテーパー面に沿い、第一の治具６のガイド溝６ａの下方へ移動することになる。最終的に、第二の治具７が図４の（ｂ）に示す位置まで移動したとき反射型液晶用フロントライト５と第二の治具７のガイド部７ａが正規位置に配置される。
【０００９】
上記の後、半透過反射シート５ａを反射型液晶用フロントライト５のスリット部５ｅより挿入する。半透過反射シート５ａはガイド部７ａに沿って進み、反射型液晶用フロントライト５のもう一方のスリット部５ｆに挿入される。この半透過型反射シート挿入治具を用いることにより、挿入作業がスムーズに且つ正確に行える。
【００１０】
【発明が解決しようとする課題】
前記した半透過反射シート挿入治具を用いた場合、挿入作業を繰り返すことによってガイド部７ａのガイド面が磨耗し、突起が発生する。このまま作業を継続すると半透過反射シート５ａにキズを付けてしう。また、ゴミの発生も誘発し半透過反射シート５ａのシート面に付着してしまい、製品の信頼性を低下させてしまうとういう問題があった。
【００１１】
本発明は、半透過反射シートのキズやゴミの付着を防止した半透過反射シート挿入治具を提供しようとするものである。
【００１２】
【課題を解決するための手段】
反射型液晶用フロントライトをガイドするためのガイド溝を有する第一の治具と、前記反射型液晶用フロントライトに半透過反射シートを挿入するためのガイド部と、前記第一の治具の前記反射型液晶用フロントライトのガイド溝下部方向に伸びるテーパー部を有する第二の治具で構成される半透過反射シート挿入治具において、第二の治具の前記ガイド部を回転ベルトで構成した半透過反射シート挿入治具とする。
【００１３】
前記回転ベルトは粘着性を有する半透過反射シート挿入治具とする。
【００１４】
【発明の実施の形態】
以下、本発明の半透過反射シート挿入治具を図に基づいて説明する。
【００１５】
図５は本発明の半透過反射シート挿入治具を示す斜視図である。
８は第一の治具で、反射型液晶用フロントライト５をガイドするためのガイド溝８ａを有している。９は第二の治具で、反射型液晶用フロントライト５に半透過反射シート５ａを挿入するためのガイド部となる回転ベルト９ａを有している。また、前記第二の治具９には回転ベルト９ａの下側から前記第一の治具８のガイド溝８ａ側に伸びるテーパー部９ｂが取り付け若しくは一体形成されている。１０はスライドシャフトで、第二の治具９に２本取り付けられている。スライドシャフト１０は、第一の治具８の穴８ｂと穴８ｃにそれぞれ挿入されている。さらに、第一の治具８には穴８ｄが設けられており、第二の治具９のテーパー部９ｂが挿入可能に構成されている。上記構成により、第二の治具９は、スライドシャフト１０を介して図５中の矢印の方向にスライド可能に構成されている。
【００１６】
図６は本発明の半透過反射シート挿入治具の第二の治具を示す斜視図である。９ｃはローラーで、軸受け壁９ｄに取り付けられた軸９ｅに取り付けられている。ローラー９ｃ、軸受け壁９ｄ、軸９ｅはそれぞれ２つずつの構成である。回転ベルト９ａは前記２つのローラー９ｃを介して回転可能に取り付けられたものである。
【００１７】
図７は本発明の半透過反射シート挿入治具の側面断面図で、（ａ）はスライド前の状態を示す図、（ｂ）はスライド後の状態を示す図である。スライド動作については、図４の従来技術に示したものと同様である。
【００１８】
反射型液晶用フロントライトを第一の治具８のガイド溝８ａにセットした後、第二の治具９を矢印方向にスライドさせる。この時、反射型液晶用フロントライト５は、テーパー部９ｂのテーパー面に沿い、第一の治具８のガイド溝８ａの下方へ移動することになる。最終的に、第二の治具９が図７（ｂ）に示す位置まで移動したとき反射型液晶用フロントライト５と第二の治具９のガイド部９ａが正規位置に配置される。
【００１９】
上記の後、半透過反射シートを反射型液晶用フロントライト５のスリット部より挿入する。半透過反射シートは回転ベルト９ａによってガイドされ、回転ベルト９ａを回転させながら反射型液晶用フロントライト５のもう一方のスリット部５ｆへ挿入される。半透過反射シート挿入後は、第二の治具９を図７（ａ）に示す位置にもどし、反射型液晶用フロントライト５が上方に移動したところで前記治具から取り外し可能となる。テーパー部９ｂを利用することで、反射型液晶用フロントライト５が上下するので、作業時の取扱が容易に行える。
【００２０】
さらに前記回転ベルト９ａには、微量の粘着性を持たせた素材を用いることにより、半透過反射シート面にゴミ等の異物があった場合にこれらを除去できるものである。
【００２１】
【発明の効果】
回転ベルトがガイドとなっているため、半透過反射シート挿入をスムーズに行うことが可能となり、磨耗による問題がなくなる。半透過反射シート表面も柔軟な材質のベルトを使用することにより保護できる。
【００２２】
回転ベルトに微量の粘着性を持たせることでシート挿入時にシートにゴミが付着していればそのゴミも同時に除去できる。
【図面の簡単な説明】
【図１】反射型液晶用フロントライトを有する反射型液晶表示装置の要部構成図。
【図２】図２は反射型液晶用フロントライトを有する反射型液晶表示装置の断面図。
【図３】図３は従来技術による半透過反射シート挿入治具を示す斜視図。
【図４】従来技術の半透過反射シート挿入治具の側面断面図で、（ａ）はスライド前の状態を示す図、（ｂ）はスライド後の状態を示す図。
【図５】本発明の半透過反射シート挿入治具を示す斜視図。
【図６】本発明の半透過反射シート挿入治具の第二の治具を示す斜視図。
【図７】本発明の半透過反射シート挿入治具の側面断面図で、（ａ）はスライド前の状態を示す図、（ｂ）はスライド後の状態を示す図。
【符号の説明】
１    回路基板
２    反射型液晶パネル
３    ワイヤーパターン
４    発光素子
５    反射型液晶用フロントライト
５ａ  半透過反射シート
５ｂ  導光部材
５ｃ  拡散部材
５ｄ  偏光板
５ｅ  スリット部
５ｆ  スリット部
６    第一の治具
６ａ  ガイド溝
６ｂ  穴
６ｃ  穴
６ｄ  穴
７    第二の治具
７ａ  ガイド部
７ｂ  テーパー部
７ｃ  スライドシャフト
８    第一の治具
８ａ  ガイド溝
８ｂ  穴
８ｃ  穴
８ｄ  穴
９    第二の治具
９ａ  回転ベルト
９ｂ  テーパー部
９ｃ  ローラー
９ｄ  軸受け壁
９ｅ  軸
１０  スライドシャフト
【図１】
2004151577.tif 000003
【図２】
2004151577.tif 000004
【図３】
2004151577.tif 000005
【図４】
2004151577.tif 000006
【図５】
2004151577.tif 000007
【図６】
2004151577.tif 000008
【図７】
2004151577.tif 000009